(57)【要約】【課題】剥離痕が残り易くできる包装用箱を提供する。【解決手段】蓋部１０５および前部１０３には、該蓋部で上端開口を塞ぎ、差込片１０５ａを前部に沿って差し込んだ状態において、蓋部と前部とに跨って粘着面を有する封緘テープＴが貼り付けられる範囲内に、蓋部の表面側に露出する第１の切込部および前部の表面側に第２の切込部が形成され、第１の切込部Ｃ１および第２の切込部Ｃ２は、封緘テープの剥離方向に沿って少なくとも２つ形成される第１の切り込み２００、３００と、剥離方向と交差する方向に少なくとも１つ形成され、第１の切り込みと接触または交差する第２の切り込み２０１、３０１とを有する。【選択図】図１
2011201561.tif 000002
【特許請求の範囲】
【請求項１】
後部、第１の側部、前部および第２の側部から成る中空の胴部と、該胴部の下端開口を塞ぐ底部と、前記胴部の上端開口を塞ぐ蓋部とを備え、
前記蓋部は、折り目に沿って折り返され、当該蓋部で前記上端開口を塞いだ際に、対向する前記前部に沿って差し込まれる差込片を有し、
前記蓋部および前記前部には、該蓋部で前記上端開口を塞ぎ、前記差込片を前記前部に沿って差し込んだ状態において、当該蓋部と前記前部とに跨って粘着面を有する封緘テープが貼り付けられる範囲内に、当該蓋部の表面側に露出する第１の切込部および前記前部の表面側に第２の切込部が形成され、
前記第１の切込部および前記第２の切込部は、前記封緘テープの剥離方向に沿って少なくとも２つ形成される第１の切り込みと、前記剥離方向と交差する方向に少なくとも１つ形成され、前記第１の切り込みと接触または交差する第２の切り込みとを有することを特徴とする包装用箱。
【請求項２】
前記前部の上端部には、前記蓋部で前記上端開口を塞ぎ、前記差込片を前記前部に沿って差し込んだ状態から前記蓋部を開封する際に、前記差込片の一部に指を触れさせる切欠部が形成され、
前記第２の切込部は、前記切欠部の周辺に形成され、
前記封緘テープは、前記第１の切込部、前記第２の切込部および前記切欠部を覆うように前記蓋部と前記前部とに跨って貼り付けられることを特徴とする請求項１に記載の包装用箱。
【請求項３】
前記第２の切込部は、前記蓋部で前記上端開口を塞ぎ、前記差込片を前記前部に沿って差し込んだ状態において、前記蓋部における第１の切込部の形成位置の延長線上から外れた位置に形成されることを特徴とする請求項１または請求項２の何れかに記載の包装用箱。
【請求項４】
前記第１の切込部および前記第２の切込部は、前記蓋部および前記前部をそれぞれ貫通して形成されることを特徴とする請求項１から請求項３の何れかに記載の包装用箱。
【請求項５】
前記第１の切込部の前記第２の切り込みは、前記蓋部の折り目に沿って形成されることを特徴とする請求項１から請求項４の何れかに記載の包装用箱。
【請求項６】
前記第１の切込部および前記第２の切込部の周囲の表面には、表面保護剤の塗布を行わないことを特徴とする請求項１から請求項５の何れかに記載の包装用箱。
【発明の詳細な説明】
【技術分野】
【０００１】
本発明は、包装用箱に関するものである。
【背景技術】
【０００２】
従来、ダンボール紙等から成るブランクシートから一体に打ち抜かれた箱形成体を組み立てた包装用箱の一形態として、４側面の上下に上蓋と底蓋が設けられ開口部を閉鎖している構造のものがある。
【０００３】
ところで、このような包装用箱において、収容する内容物に応じて、品質等を保証したり、内容物の改変等を防止するために、上蓋と前板に跨るように粘着面を有する封緘テープ（封緘シール）を貼付する場合がある。
【０００４】
これにより、封緘テープを剥離させた際に、上蓋と前板の何れか或いは双方において、表面が封緘テープの粘着力により破れるなどの剥離痕が残るため、開封済みであることを確認でき、改ざん等を抑制することができる。
【０００５】
このような封緘テープを貼付する包装用箱に関する技術は種々提案されている。
【０００６】
例えば、特開２００２−２６４９３３号公報には、外側フラップの接合部外周に、破断線を設けるようにした技術が開示されている。
【０００７】
また、特開昭５３−９７５９１号公報には、箱本体側面部に適宜の切り込み線を箱地厚の約１／２まで切り込みし、該切り込み線部を封緘シールと一体に剥離させ、粘着不能とするようにした技術が開示されている。
【先行技術文献】
【特許文献】
【０００８】
【特許文献１】特開２００２−２６４９３３号公報
【特許文献２】特開昭５３−９７５９１号公報
【発明の概要】
【発明が解決しようとする課題】
【０００９】
本発明は、剥離痕が残り易くできる包装用箱を提供することを目的とする。
【課題を解決するための手段】
【００１０】
前記課題を解決するため、請求項１の発明に係る包装用箱は、後部、第１の側部、前部および第２の側部から成る中空の胴部と、該胴部の下端開口を塞ぐ底部と、前記胴部の上端開口を塞ぐ蓋部とを備え、前記蓋部は、折り目に沿って折り返され、当該蓋部で前記上端開口を塞いだ際に、対向する前記前部に沿って差し込まれる差込片を有し、前記蓋部および前記前部には、該蓋部で前記上端開口を塞ぎ、前記差込片を前記前部に沿って差し込んだ状態において、当該蓋部と前記前部とに跨って粘着面を有する封緘テープが貼り付けられる範囲内に、当該蓋部の表面側に露出する第１の切込部および前記前部の表面側に第２の切込部が形成され、前記第１の切込部および前記第２の切込部は、前記封緘テープの剥離方向に沿って少なくとも２つ形成される第１の切り込みと、前記剥離方向と交差する方向に少なくとも１つ形成され、前記第１の切り込みと接触または交差する第２の切り込みとを有することを特徴とする。
【００１１】
請求項２の発明に係る包装用箱は、請求項１に記載の発明について、前記前部の上端部には、前記蓋部で前記上端開口を塞ぎ、前記差込片を前記前部に沿って差し込んだ状態から前記蓋部を開封する際に、前記差込片の一部に指を触れさせる切欠部が形成され、前記第２の切込部は、前記切欠部の周辺に形成され、前記封緘テープは、前記第１の切込部、前記第２の切込部および前記切欠部を覆うように前記蓋部と前記前部とに跨って貼り付けられることを特徴とする。
【００１２】
請求項３の発明に係る包装用箱は、請求項１または請求項２の何れかに記載の発明について、前記第２の切込部は、前記蓋部で前記上端開口を塞ぎ、前記差込片を前記前部に沿って差し込んだ状態において、前記蓋部における第１の切込部の形成位置の延長線上から外れた位置に形成されることを特徴とする。
【００１３】
請求項４の発明に係る包装用箱は、請求項１から請求項３の何れかに記載の発明について、前記第１の切込部および前記第２の切込部は、前記蓋部および前記前部をそれぞれ貫通して形成されることを特徴とする。
【００１４】
請求項５の発明に係る包装用箱は、請求項１から請求項４の何れかに記載の発明について、前記第１の切込部の前記第２の切り込みは、前記蓋部の折り目に沿って形成されることを特徴とする。
【００１５】
請求項６の発明に係る包装用箱は、請求項１から請求項５の何れかに記載の発明について、前記第１の切込部および前記第２の切込部の周囲の表面には、表面保護剤の塗布を行わないことを特徴とする。
【発明の効果】
【００１６】
本発明によれば以下の効果を奏することができる。
【００１７】
すなわち、請求項１に記載の発明によれば、本構成を有していない場合に比較して、封緘テープを剥離する際に、第１の切込部または第２の切込部を起点として蓋部または前部の表面が封緘テープの粘着面によって剥がされ易くなり、剥離痕が残り易くできる。
【００１８】
請求項２に記載の発明によれば、本構成を有していない場合に比較して、切欠部が設けられても蓋部または前部の表面が封緘テープの粘着面によってより剥がされ易くなり、剥離痕がより残り易くできる。
【００１９】
請求項３に記載の発明によれば、本構成を有していない場合に比較して、蓋部または前部の表面が封緘テープの粘着面によってより剥がされ易くなり、剥離痕がより残り易くできる。
【００２０】
請求項４に記載の発明によれば、本構成を有していない場合に比較して、蓋部または前部の表面が封緘テープの粘着面によってより剥がされ易くなり、粘着面の粘着力を弱めても剥離痕が残り易くできる。
【００２１】
請求項５に記載の発明によれば、本構成を有していない場合に比較して、第１の切込部の第２の切り込みを起点として蓋部または前部の表面が封緘テープの粘着面によってより剥がされ易くなり、剥離痕が残り易くできる。
【００２２】
請求項６に記載の発明によれば、本構成を有していない場合に比較して、封緘テープの粘着面の粘着剤が浸透し易くなり、剥離痕がより残り易くできる。
【図面の簡単な説明】
【００２３】
【図１】実施の形態に係る包装用箱１００の箱形成体１００Ａの構成を示す展開図である。
【図２】実施の形態に係る包装用箱１００への梱包例を示す斜視図である。
【図３】実施の形態に係る包装用箱１００の構成を示す斜視図である。
【図４】第１の切込部Ｃ１および第２の切込部Ｃ２の構成例を示す説明図である。
【図５】第１の切込部Ｃ１および第２の切込部Ｃ２の他の構成例を示す説明図である。
【図６】第１の切込部Ｃ１による剥離状態を示す説明図である。
【図７】第２の切込部Ｃ１による剥離状態を示す説明図である。
【発明を実施するための形態】
【００２４】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
図１から図７を参照して、本発明についての実施の形態に係る包装用箱１００について説明する。
【００２６】
まず、図１は、実施の形態に係る包装用箱１００の箱形成体１００Ａを表面側から見た展開図であり、箱形成体１００Ａは、ダンボール紙等を一体的に打ち抜いたり、切り抜いたりして形成される。
【００２７】
図１に示すように、箱形成体１００Ａは、後部１０１、第１の側部１０２、前部１０３および第２の側部１０４から成る角筒状の胴部１１０と、該胴部１１０の下端開口を塞ぐ底部１０１ａ、１０３ａと、胴部１１０の上端開口を塞ぐ蓋部１０５とを有する。
【００２８】
本実施の形態においては、後部１０１の左端側に糊代部１０１ｂを有している。
【００２９】
また、第１の側部１０２および第２の側部１０４は、下端側および上端側にフラップ部１０２ａ、１０２ｂ、１０４ａ、１０４ｂを備えている。
【００３０】
さらに、蓋部１０５は、折り目１０６に沿って折り返され、箱形成体１００Ａの組立状態において当該蓋部１０５で上端開口を塞いだ際に、対向する前部１０３の内側に沿って差し込まれる差込片１０５ａを備えている。
【００３１】
また、前部１０３の上端部には、蓋部１０５で上端開口を塞ぎ、差込片１０５ａを前部１０３に沿って差し込んだ状態から蓋部１０５を開封する際に、差込片１０５ａの一部に作業者の指を触れさせる切欠部１０７が形成されている。
【００３２】
ここで、蓋部１０５および前部１０３には、該蓋部１０５で上端開口を塞ぎ、差込片１０５ａを前部１０３に沿って差し込んだ状態において、当該蓋部１０５と前部１０３とに跨って粘着面を有する封緘テープＴ（図３参照）が貼り付けられる範囲内に、それぞれの表面側に露出する第１の切込部Ｃ１および第２の切込部Ｃ２が形成されている。
【００３３】
第１の切込部Ｃ１および第２の切込部Ｃ２は、封緘テープＴの剥離方向（例えば、図３に示す上方向Ａあるいは下方向Ｂ）に沿って少なくとも２つ形成される第１の切り込み２００、３００（図４参照）と、剥離方向（前記ＡまたはＢ）と交差する方向に少なくとも１つ形成され、第１の切り込み２００、３００と接触または交差する第２の切り込み２０１、３０１とを有する（図４参照）。
【００３４】
なお、第１の切込部Ｃ１および第２の切込部Ｃ２の具体的な構成例については後述する。
【００３５】
ここで、箱形成体１００Ａによる包装用箱１００の組み立ての仕方について簡単に説明する。
【００３６】
まず、後部１０１、第１の側部１０２、前部１０３、第２の側部１０４、底部１０１ａ、１０３ａ、蓋部１０５、糊代部１０１ｂ、フラップ部１０２ａ、１０２ｂ、１０４ａ、１０４ｂは、それぞれ折り目１５０、１５１、１５２、１５３、１５４、１５５に沿って折り返され、糊代部１０１ｂの表面側と、第２の側部１０４の裏面側とが接着剤で接着して箱体を形成する。
【００３７】
また、底部１０１ａ、１０３ａを組み合わせて底を形成する。
【００３８】
次いで、図２のように内容物を包装用箱１００に収容する。
【００３９】
特には限定されないが、図２に示す例では、プリンタ等に用いられるトナーカートリッジ５００と、取扱説明書５０１、デバイスドライバ等を記録したＣＤ−ＲＯＭ５０２などを包装用箱１００内に格納する。
【００４０】
次に、差込片１０５ａを折り目１０６に沿って折り返し、蓋部１０５で上端開口を塞ぐと共に、差込片１０５ａを前部１０３に沿って差し込んで、閉塞する。
【００４１】
そして、図３に示すように、粘着面を有する封緘テープＴが、第１の切込部Ｃ１と、第２の切込部Ｃ２と、切欠部１０７を覆うように蓋部１０５と前部１０３とに跨って貼り付けられる。
【００４２】
これにより、封緘テープＴが剥離されていない状態を確認することにより、内容物（例えば、トナーカートリッジ５００等）が改変などされていないことが確認される。
【００４３】
ここで、図４を参照して、本実施の形態における第１の切込部Ｃ１および第２の切込部Ｃ２の具体的な構成例について説明する。
【００４４】
図４の（ａ）には、蓋部１０５に形成される第１の切込部Ｃ１の構成例を示す。
【００４５】
第１の切込部Ｃ１は、封緘テープＴの剥離方向（上方向Ａあるいは下方向Ｂ）に沿って２つ形成される第１の切り込み２００ａ、２００ｂと、剥離方向（上方向Ａあるいは下方向Ｂ）と交差する方向に１つ形成され、第１の切り込み２００ａ、２００ｂと接触する第２の切り込み２０１とを有している。
【００４６】
なお、第１の切込部Ｃ１の第２の切り込み２０１は、蓋部１０５の折り目１０６（図１参照）に沿って形成されるようにするとよい。
【００４７】
これにより、特に封緘テープＴが下方向Ｂに剥離される場合に、第１の切込部Ｃ１の第２の切り込み２０１を起点とし、第１の切り込み２００ａ、２００ｂに沿って蓋部１０５の表面が封緘テープの粘着面によってより剥がされ易くなり、剥離痕が残り易くなる。
【００４８】
なお、封緘テープＴが下方向Ｂに剥離される場合にも、第１の切込部Ｃ１の第２の切り込み２０１を起点として表面が容易に剥離され、剥離痕が残り易くなる。
【００４９】
図４の（ｂ）には、前部１０３に形成される第２の切込部Ｃ２の構成例を示す。
【００５０】
第２の切込部Ｃ２は、封緘テープＴの剥離方向（上方向Ａあるいは下方向Ｂ）に沿って２つ形成される第１の切り込み３００ａ、３００ｂと、剥離方向（上方向Ａあるいは下方向Ｂ）と交差する方向に１つ形成され、第１の切り込み３００ａ、３００ｂで挟むように接触する第２の切り込み３０１とを有している。
【００５１】
これにより、封緘テープＴが上方向Ａあるいは下方向Ｂに剥離される場合に、第１の切込部Ｃ２の第２の切り込み３０１を起点とし、第１の切り込み３００ａ、３００ｂに沿って蓋部１０５の表面が封緘テープの粘着面によってより剥がされ易くなり、剥離痕が残り易くなる。
【００５２】
なお、第２の切込部Ｃ２は、切欠部１０７の周辺に形成され、封緘テープＴは、第１の切込部Ｃ１と、第２の切込部Ｃ２と、切欠部１０７を覆うように蓋部１０５と前部１０３とに跨って貼り付けられるようにするとよい。
【００５３】
これにより、切欠部１０７を設けない場合に比して封緘テープＴの粘着性が劣る場合であっても、第１の切込部Ｃ１および第２の切込部Ｃ２の存在により剥離痕が残り易くなる。
【００５４】
また、第２の切込部Ｃ２は、蓋部１０５で上端開口を塞ぎ、差込片１０５ａを前部１０３に沿って差し込んだ状態において、蓋部１０５における第１の切込部Ｃ１の形成位置の延長線上から外れた位置に形成されるようにしてもよい。
【００５５】
これにより、蓋部１０５または前部１０３の表面が封緘テープＴの粘着面によってより剥がされ易くなり、剥離痕がより残り易くなる。
【００５６】
また、第１の切込部Ｃ１および第２の切込部Ｃ２のそれぞれは、蓋部１０５および前部１０３を貫通して形成されるようにしてもよい。
【００５７】
また、第１の切込部Ｃ１および第２の切込部Ｃ２のそれぞれは、蓋部１０５および前部１０３の表面から厚さ方向の途中で終わる切り込みとして形成されるようにしてもよい。
【００５８】
このように、本実施の形態によれば、封緘テープＴの粘着面の粘着力を従来より弱くした場合であっても剥離痕が残り易くなり、内容物の改変、改ざんが有効に抑制される。
【００５９】
また、封緘テープＴの粘着面の粘着力を従来より弱めることにより、封緘テープＴを剥離し易くなり、ユーザ等の利便性が向上される。
【００６０】
なお、図４に示す第１の切込部Ｃ１および第２の切込部Ｃ２は、あくまでも構成例であり、これには限定されず、図５に示すように他の構成例（ア）〜（サ）が考えられる。
【００６１】
即ち、第１の切込部Ｃ１および第２の切込部Ｃ２は、封緘テープＴの剥離方向（上方向Ａあるいは下方向Ｂ）に沿った方向（例えば、略平行な方向）に少なくとも２つ形成される第１の切り込み２００、３００と、剥離方向（上方向Ａあるいは下方向Ｂ）と交差する方向（例えば、略直交する方向）に少なくとも１つ形成され、第１の切り込み２００、３００と接触または交差する第２の切り込み２０１、３０１とを有するという条件を満たせば、どのような形態であってもよい。
【００６２】
次に、図６を参照して、第１の切込部Ｃ１による剥離状態の例を説明する。
【００６３】
この例では、図６の（ａ）に示すように、粘着面を有する封緘テープＴが、第１の切込部Ｃ１および切欠部１０７を覆うように蓋部１０５と前部１０３とに跨って貼付された状態から、ユーザ等が封緘テープＴを前出の図３に示す下側から上側（Ａ方向）に剥離を開始するものとする。
【００６４】
次いで、封緘テープＴのＡ方向への剥離が進み、封緘テープＴの粘着面の端部が第１の切込部Ｃ１における折り目１０６に沿って形成される第２の切り込み２０１に到達すると、この第２の切り込み２０１を起点として蓋部１０５の表面の剥離が開始される。
【００６５】
さらに、封緘テープＴのＡ方向への剥離を進めると、第１の切込部Ｃ１における蓋部１０５の表面は、第１の切り込み２００ａ、２００ｂに沿って剥離が進み、剥離痕６００が形成されることとなる。
【００６６】
このように、切欠部１０７を設けない場合に比して封緘テープＴの粘着性が劣る場合であっても、第１の切込部Ｃ１を設けたことにより剥離痕が残り易くなる。
【００６７】
なお、図示は省略するが、封緘テープＴを前出の図３に示す上側から下側（Ｂ方向）に剥離した場合には、第１の切込部Ｃ１から表面の剥離が開始される場合もあるが、蓋部１０５への封緘テープＴの粘着が良好な場合には、第１の切込部Ｃ１に至る前に表面の剥離が開始される場合もある。
【００６８】
また、第１の切込部Ｃ１として、第２の切込部Ｃ２と同様の切込部を形成するようにしてもよい。
【００６９】
また、第１の切込部Ｃ１として、図５における（ア）〜（サ）の何れかの切込形状を用いるようにしてもよい。
【００７０】
次に、図７を参照して、第２の切込部Ｃ２による剥離状態の例を説明する。
【００７１】
この例では、図７の（ａ）に示すように、粘着面を有する封緘テープＴが、第２の切込部Ｃ１を覆うように前部１０３に貼付された状態から、ユーザ等が封緘テープＴを前出の図３に示す下側から上側（Ａ方向）または上側から下側（Ｂ方向）の何れかに剥離を開始するものとする。
【００７２】
次いで、封緘テープＴのＡ方向（Ｂ方向）への剥離が進み、封緘テープＴの粘着面の端部が第２の切込部Ｃ１における第２の切り込み３０１に到達すると、この第２の切り込み３０１を起点として前部１０３の表面の剥離が開始される。
【００７３】
さらに、封緘テープＴのＡ方向（Ｂ方向）への剥離を進めると、第２の切込部Ｃ２における前部１０３の表面は、第２の切り込み３００ａ、３００ｂに沿って剥離が進み、剥離痕６００が形成されることとなる。
【００７４】
このように、封緘テープＴの粘着面の粘着力を従来より弱くしたような場合であっても剥離痕が残り易くなり、内容物の改変、改ざんが有効に抑制される。
【００７５】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００７６】
例えば、第１の切込部Ｃ１および第２の切込部Ｃ２の周囲の表面には、クリアニスや透明印刷等による表面保護剤の塗布を行わないようにしてもよい。
【００７７】
これにより、封緘テープＴの粘着面の粘着剤が第１の切込部Ｃ１および第２の切込部Ｃ２の周囲に浸透し易くなり、剥離痕がより残り易くなる。
【産業上の利用可能性】
【００７８】
本発明による包装用箱は、プリンタや複合機等のトナーカートリッジなどの包装や梱包に適用することができる。
【符号の説明】
【００７９】
１００  包装用箱
１００Ａ  箱形成体
Ｃ１  第１の切込部
Ｃ２  第２の切込部
Ｔ  封緘テープ
１０１  後部
１０１ａ  底部
１０１ｂ  糊代部
１０２  第１の側部
１０２ａ  フラップ部
１０３  前部
１０４  側部
１０５  蓋部
１０５ａ  差込片
１０６  折り目
１０７  切欠部
１１０  胴部
１５０  折り目
２００、３００  第１の切り込み
２０１、３０１  第２の切り込み
６００  剥離痕
【図１】
2011201561.tif 000003
【図２】
2011201561.tif 000004
【図３】
2011201561.tif 000005
【図４】
2011201561.tif 000006
【図５】
2011201561.tif 000007
【図６】
2011201561.tif 000008
【図７】
2011201561.tif 000009